(57)【要約】  第１ボタン部材（２１）は、特定の波長の光のみを透過可能な透過部（２１Ｂ）を有する。第２ボタン部材（２２）は、当該特定の波長とは異なる特定の波長の光のみを透過可能な透過部（２１Ｂ）を有する。取得部（３０）は、車両に関する情報を取得する。制御部（３１）は、車両に関する情報を用いて、光源部（２３）が発する光の波長を第１ボタン部材（２１）の透過部（２１Ｂ）を透過可能な波長と第２ボタン部材（２２）の透過部（２２Ｂ）を透過可能な波長との間で切り替える。
2019215917.tif 000002
【特許請求の範囲】
【請求項１】
特定の波長の光のみを透過可能な透過部を有する第１ボタン部材と、前記特定の波長とは異なる特定の波長の光のみを透過可能な透過部を有し、前記第１ボタン部材の背後に設けられる第２ボタン部材と、発光ダイオードを有し前記第２ボタン部材に背後から光を当てる光源部とを備える表示部を制御する表示制御装置であって、
車両に関する情報を取得する取得部と、
前記車両に関する情報を用いて、前記光源部が発する光の波長を前記第１ボタン部材の透過部を透過可能な波長と前記第２ボタン部材の透過部を透過可能な波長との間で切り替える制御部とを備えることを特徴とする表示制御装置。
【請求項２】
前記車両に関する情報は、車両の走行状態についての情報である車両情報、提供中のコンテンツについての情報であるコンテンツ情報、又は、操作者についての情報である操作者情報であることを特徴とする請求項１記載の表示制御装置。
【請求項３】
前記表示部は、画像である擬似ボタンが表示される画像表示エリアを有し、
前記制御部は、前記第１ボタン部材及び前記第２ボタン部材のうち、前記光源部が発する光を透過させている透過部を有するボタン部材ではない方のボタン部材が示す機能以外の機能を示す擬似ボタンを、前記画像表示エリアに表示させることを特徴とする請求項１記載の表示制御装置。
【請求項４】
前記第１ボタン部材及び前記第２ボタン部材のうち、一方はオーディオ用のボタン部材、他方はナビゲーション用のボタン部材であり、
前記取得部は、車両の走行状態についての情報である車両情報を取得し、
前記制御部は、車両走行中は前記光源部が発する光の波長をナビゲーション用のボタン部材が有する透過部を透過可能な波長とし、停車中は前記光源部が発する光の波長をオーディオ用のボタン部材が有する透過部を透過可能な波長とすることを特徴とする請求項１記載の表示制御装置。
【請求項５】
前記第１ボタン部材及び前記第２ボタン部材のうち、一方のボタン部材は運転者用のボタン部材であり、
前記取得部は、操作者についての情報である操作者情報を取得し、
前記制御部は、運転者が操作しようとしている場合、前記光源部が発する光の波長を他方のボタン部材が有する透過部を透過可能な波長とし、前記光源部が発する光を前記第２ボタン部材における運転席側の部分に背後から当てさせることを特徴とする請求項１記載の表示制御装置。
【請求項６】
前記第１ボタン部材及び前記第２ボタン部材のうち、一方のボタン部材は助手席の乗員用のボタン部材であり、
前記取得部は、操作者についての情報である操作者情報を取得し、
前記制御部は、助手席の乗員が操作しようとしている場合、前記光源部が発する光の波長を他方のボタン部材が有する透過部を透過可能な波長とし、前記光源部が発する光を前記第２ボタン部材における助手席側の部分に背後から当てさせることを特徴とする請求項１記載の表示制御装置。
【請求項７】
請求項１記載の表示制御装置を備えることを特徴とする表示装置。
【請求項８】
特定の波長の光のみを透過可能な透過部を有する第１ボタン部材と、前記特定の波長とは異なる特定の波長の光のみを透過可能な透過部を有し、前記第１ボタン部材の背後に設けられる第２ボタン部材と、発光ダイオードを有し前記第２ボタン部材に背後から光を当てる光源部とを備える表示部を制御する表示制御方法であって、
取得部が、車両に関する情報を取得する取得ステップと、
制御部が、前記車両に関する情報を用いて、前記光源部が発する光の波長を前記第１ボタン部材の透過部を透過可能な波長と前記第２ボタン部材の透過部を透過可能な波長との間で切り替える制御ステップとを備えることを特徴とする表示制御方法。
【発明の詳細な説明】
【技術分野】
【０００１】
この発明は、表示を制御する表示制御装置に関するものである。
【背景技術】
【０００２】
画像を表示する液晶ディスプレイ等のディスプレイと、当該ディスプレイに重ねられたタッチパネルとを用いて、ユーザが装置に対して何かしらの機能の実行を指示することは広く行われている。その際、ディスプレイには、ボタンを模した画像が表示される。ユーザは、タッチパネルにタッチすることにより、画像として表示されているボタン（以下「擬似ボタン」という）に割り当てられた機能の実行を指示することができる。例えば特許文献１にも、このような擬似ボタンが含まれる入力画面が表示されることが記載されている。
【先行技術文献】
【特許文献】
【０００３】
【特許文献１】特開２００６―１９９１１５号公報
【発明の概要】
【発明が解決しようとする課題】
【０００４】
ユーザの指示を受け付けるために、上記のような擬似ボタン以外のボタンを備えるものもある。例えば、タッチパネルの背後に設けられた、光源部と当該光源部からの光を部分的に透過させる板状のボタン部材とが利用される。光源部が発光してボタン部材が当該光源からの光を部分的に透過させると、文字等が浮かび上がり、ユーザはボタンの存在を認識する。
擬似ボタンは、画像を変更することにより、他の機能を示す擬似ボタンへ切り替えることができる。したがって、擬似ボタンにより実行を指示できる機能は多い。
一方、上記のような光源部とボタン部材とを用いて表示されるボタンは、擬似ボタンと異なり切り替えることができない。このように、切り替えができない分、上記のような光源部とボタン部材とを用いて表示されるボタンにより実行を指示できる機能は少ないものであった。【０００５】
この発明は、上記のような課題を解決するためになされたもので、光源部とボタン部材とを用いて表示されるボタンを切り替えることができる表示制御装置を得ることを目的とする。
【課題を解決するための手段】
【０００６】
この発明に係る表示制御装置は、特定の波長の光のみを透過可能な透過部を有する第１ボタン部材と、特定の波長とは異なる特定の波長の光のみを透過可能な透過部を有し、第１ボタン部材の背後に設けられる第２ボタン部材と、発光ダイオードを有し第２ボタン部材に背後から光を当てる光源部とを備える表示部を制御するものであって、車両に関する情報を取得する取得部と、車両に関する情報を用いて、光源部が発する光の波長を第１ボタン部材の透過部を透過可能な波長と第２ボタン部材の透過部を透過可能な波長との間で切り替える制御部とを備えることを特徴とするものである。
【発明の効果】
【０００７】
この発明によれば、車両に関する情報を用いて、光源部が発する光の波長を第１ボタン部材の透過部を透過可能な波長と第２ボタン部材の透過部を透過可能な波長との間で切り替えるので、光源部とボタン部材とを用いて表示されるボタンを切り替えることができる。
【図面の簡単な説明】
【０００８】
【図１】図１Ａは、実施の形態１に係る表示装置の正面図である。図１Ｂは、操作ボタンの表示を図１Ａに示す状態から切り替えた状態を示す図である。
【図２】図２Ａは、第１ボタン部材、第２ボタン部材及び光源部を概略的に示す図である。図２Ｂは、第１ボタン部材と第２ボタン部材とを重ねた状態を示す図である。
【図３】発光ダイオードの相対強度分布を示すグラフである。
【図４】実施の形態１に係る表示装置の機能ブロック図である。
【図５】図５Ａ及び図５Ｂは、表示制御装置のハードウェア構成例を示す図である。
【図６】表示制御装置による処理の一例について示すフローチャートである。
【発明を実施するための形態】
【０００９】
以下、この発明をより詳細に説明するために、この発明を実施するための形態について、添付の図面に従って説明する。
実施の形態１． 
図１Ａは、実施の形態１に係る表示装置１の正面図である。表示装置１は、例えば、カーナビゲーション機能及びオーディオ機能等を有する車載の装置として実現される。図１Ａでは、表示装置１の表示部２について示している。
表示部２は、ボタンを表示するエリアとして、画像表示エリアＡ１と操作ボタンエリアＡ２とを有する。
画像表示エリアＡ１には、液晶ディスプレイ等のディスプレイ２０が設けられ、擬似ボタンを含む画像が表示される。画像表示エリアＡ１は、擬似ボタンが表示される第１エリアＡ１０と、例えば地図画像が表示される第２エリアＡ１１とに更に分割される。図１Ａでは、第１エリアＡ１０は、画像表示エリアＡ１における下部分に存在している。なお、第１エリアＡ１０は、図示のものとは異なり、例えば、画像表示エリアＡ１における左部分に存在していてもよいし、矩形状のエリアではなくＬ字状のエリアであってもよい。
【００１０】
操作ボタンエリアＡ２には、後述の図２Ａに示す第１ボタン部材２１、第２ボタン部材２２及び光源部２３が設けられる。操作ボタンエリアＡ２には、画像表示エリアＡ１とは異なり液晶ディスプレイ等の画像を表示する装置が設けられていないので、擬似ボタン及び地図画像等は表示されない。
【００１１】
画像表示エリアＡ１及び操作ボタンエリアＡ２の最も手前には、タッチパネル２４が設けられている。なお、「手前」は、表示部２から見て、表示部２の表示を見るユーザが位置する側を指す。そして、表示部２から見て、表示部２の表示を見るユーザが位置する側と反対側が、「背後」となる。
タッチパネル２４は、画像表示エリアＡ１及び操作ボタンエリアＡ２にまたがる１枚のタッチパネルであってもよいし、画像表示エリアＡ１と操作ボタンエリアＡ２とで別々に設けられた複数のタッチパネルであってもよい。タッチパネル２４は、静電容量式のものであってもよいし、その他の方式のものであってもよい。
【００１２】
ユーザは、画像表示エリアＡ１に表示される擬似ボタンにタッチするかのようにタッチパネル２４をタッチすることで、当該擬似ボタンに割り当てられた機能の実行を表示装置１に指示することができる。
一方、操作ボタンエリアＡ２には、後述の図２Ａに示す第１ボタン部材２１、第２ボタン部材２２及び光源部２３の働きにより、図１Ａに示すように例えば「ＨＯＭＥ」等の文字が表示される。ユーザは、「ＨＯＭＥ」という表示にタッチするかのようにタッチパネル２４をタッチすることで、ホーム画面の表示を表示装置１に指示することができる。このように、表示装置１は、操作ボタンエリアＡ２にもボタンを有している。操作ボタンエリアＡ２に表示されるボタンを、以下では「操作ボタン」と言う。
【００１３】
図１Ｂは、操作ボタンの表示を図１Ａに示す状態から切り替えた状態を示している。操作ボタンの切り替え方法については、図２Ａ、図２Ｂ及び図３を用いて以下に説明する。
【００１４】
図２Ａは、第１ボタン部材２１、第２ボタン部材２２及び光源部２３を概略的に示す図である。第１ボタン部材２１及び第２ボタン部材２２の背後に、光源部２３が設けられている。２つのボタン部材のうち、手前に設けられる方を第１ボタン部材２１とし、当該第１ボタン部材２１の背後に設けられる方を第２ボタン部材２２とする。
【００１５】
第１ボタン部材２１は、フィルム状の部材であり、本体部２１Ａと透過部２１Ｂとを有する。
本体部２１Ａは、例えばＰＥＴ（ｐｏｌｙｅｔｈｙｌｅｎｅ ｔｅｒｅｐｈｔｈａｌａｔｅ）樹脂でできた透明の部材である。
【００１６】
透過部２１Ｂは、「ＨＯＭＥ」という文字部分であり、本体部２１Ａの一部に設けられている。透過部２１Ｂは、特定の波長の光のみを透過可能となっている。例えば、透過部２１Ｂは、特定の波長の光のみを透過するインクで「ＨＯＭＥ」という文字を本体部２１Ａに印刷して作られる。
【００１７】
なお、第１ボタン部材２１は、「ＨＯＭＥ」以外にも図１Ａに示すような「ＳＥＡＲＣＨ」、「ＳＣＡＬＥ  ＵＰ／ＳＣＡＬＥ  ＤＯＷＮ」及び「ＭＥＮＵ」という文字部分を透過部２１Ｂとして有するが、図２Ａでは、「ＨＯＭＥ」という文字がある部分のみ抜き出して示している。このような文字が印刷された第１ボタン部材２１は、ナビゲーション用のボタン部材と言える。
【００１８】
第２ボタン部材２２は、フィルム状の部材であり、本体部２２Ａと透過部２２Ｂとを有する。
本体部２２Ａは、本体部２１Ａと同様に、例えばＰＥＴ（ｐｏｌｙｅｔｈｙｌｅｎｅ ｔｅｒｅｐｈｔｈａｌａｔｅ）樹脂でできた透明の部材である。
【００１９】
透過部２２Ｂは、「ＴＲＡＣＫ  ＵＰ／ＴＲＡＣＫ  ＤＯＷＮ」という文字部分であり、本体部２２Ａの一部に設けられている。透過部２２Ｂは、特定の波長の光のみを透過可能となっている。例えば、透過部２２Ｂは、特定の波長の光のみを透過するインクで「ＴＲＡＣＫ  ＵＰ／ＴＲＡＣＫ  ＤＯＷＮ」という文字を本体部２２Ａに印刷して作られる。
【００２０】
なお、第１ボタン部材２１の場合と同様に、第２ボタン部材２２は、「ＴＲＡＣＫ  ＵＰ／ＴＲＡＣＫ  ＤＯＷＮ」以外にも図１Ｂに示すような「ＶＯＬＵＭＥ  ＵＰ／ＶＯＬＵＭＥ  ＤＯＷＮ」、「ＴＵＮＥ  ＵＰ／ＴＵＮＥ  ＤＯＷＮ」及び「ＢＡＣＫ」という文字部分を透過部２２Ｂとして有するが、図２Ａでは、「ＴＲＡＣＫ  ＵＰ／ＴＲＡＣＫ  ＤＯＷＮ」という文字がある部分のみ抜き出して示している。このような文字が印刷された第２ボタン部材２２は、オーディオ用のボタン部材と言える。なお、図２Ａで示した順序とは異なり、ナビゲーション用のボタン部材がオーディオ用のボタン部材の背後にあっても構わない。
【００２１】
光源部２３は、発光ダイオードを有し、第２ボタン部材２２に背後から光を当てる。光源部２３は、各色の発光ダイオードを有するなどして、発光色つまり発する光の波長が切替可能に構成されている。
図３は、発光ダイオードの相対強度分布を示すグラフである。図３に示すように、発光ダイオードは、発光色ごとの波長の範囲が比較的狭小なものである。発光ダイオードが青色で発光する場合、光の波長は図３中の範囲Ｒ１に収まる。また、発光ダイオードが赤色で発光する場合、光の波長は図３中の範囲Ｒ２に収まる。
【００２２】
既に述べたように、透過部２１Ｂ及び透過部２２Ｂは、特定の波長の光のみを透過可能となっている。そして以下では、透過部２１Ｂが、図３中の範囲Ｒ１に入る波長の光のみ、つまり、光源部２３が青色で発光したときの光のみを透過可能であるとして説明する。また、以下では、透過部２２Ｂが、図３中の範囲Ｒ２に入る波長の光のみ、つまり、光源部２３が赤色で発光したときの光のみを透過可能であるとして説明する。このように、透過部２１Ｂと透過部２２Ｂとでは、透過可能な特定の波長が異なる。また、本体部２１Ａ及び本体部２２Ａは、透過部２１Ｂが透過可能な波長の光及び透過部２２Ｂが透過可能な波長の光の双方を少なくとも透過可能となっている。
【００２３】
第１ボタン部材２１と第２ボタン部材２２とは、図２Ｂに示すように透過部２１Ｂと透過部２２Ｂとが重ねられた状態で使われる。なおその際、第１ボタン部材２１と第２ボタン部材２２とは隙間なく重ねられてもよいし、いくらかの隙間を空けて重ねられてもよい。
図２Ｂに示す状態で例えば光源部２３を青色で発光させた場合、第２ボタン部材２２においては本体部２２Ａは光源部２３からの青色の光を透過させ、透過部２２Ｂは光源部２３からの青色の光を遮蔽する。第２ボタン部材２２の手前に設けられる第１ボタン部材２１は、本体部２１Ａも透過部２１Ｂも光源部２３からの青色の光を透過させるものであるので、第１ボタン部材２１の手前にいるユーザは、青色の光の中に透過部２２Ｂの形の影が浮かんだ表示を見ることになる。これによりユーザは、透過部２２Ｂの形の影つまり「ＴＲＡＣＫ  ＵＰ／ＴＲＡＣＫ  ＤＯＷＮ」という文字を認識する。
【００２４】
また、図２Ｂに示す状態で例えば光源部２３を赤色で発光させた場合、第２ボタン部材２２は、本体部２２Ａも透過部２２Ｂも光源部２３からの赤色の光を透過させる。第２ボタン部材２２の手前に設けられる第１ボタン部材２１においては本体部２１Ａは光源部２３からの赤色の光を透過させ、透過部２１Ｂは光源部２３からの赤色の光を遮蔽するので、第１ボタン部材２１の手前にいるユーザは、赤色の光の中に透過部２１Ｂの形の影を見ることになる。これによりユーザは、透過部２１Ｂの形の影つまり「ＨＯＭＥ」という文字を認識する。
【００２５】
このように、光源部２３が発する光の波長を制御することで、操作ボタンエリアＡ２に表示される操作ボタンを、「ＨＯＭＥ」と「ＴＲＡＣＫ  ＵＰ／ＴＲＡＣＫ  ＤＯＷＮ」との間で切り替えることができる。
なお、図２Ａ及び図２Ｂでは不図示ではあるが、同様の原理により、「ＳＥＡＲＣＨ」と「ＶＯＬＵＭＥ  ＵＰ／ＶＯＬＵＭＥ  ＤＯＷＮ」との切り替え、「ＳＣＡＬＥ  ＵＰ／ＳＣＡＬＥ  ＤＯＷＮ」と「ＴＵＮＥ  ＵＰ／ＴＵＮＥ  ＤＯＷＮ」との切り替え、「ＭＥＮＵ」と「ＢＡＣＫ」との切り替えが可能である。つまり、図１Ａは光源部２３が赤色で発光した場合、図１Ｂは光源部２３が青色で発光した場合を示している。
【００２６】
図４は、実施の形態１に係る表示装置１の機能ブロック図である。表示装置１は、表示部２と表示制御装置３とを有する。表示部２は、ディスプレイ２０、第１ボタン部材２１、第２ボタン部材２２、光源部２３及びタッチパネル２４を有する。
表示制御装置３は、表示部２を制御するものであり、取得部３０及び制御部３１を有する。
【００２７】
取得部３０は、例えばＣＡＮ（Ｃｏｎｔｒｏｌｌｅｒ Ａｒｅａ Ｎｅｔｗｏｒｋ）を介して車両に関する情報を取得し、制御部３１へ出力する。
制御部３１は、車両に関する情報を用いて、光源部２３が発する光の波長を切り替える。より具体的には、制御部３１は、光源部２３が発する光の波長を、透過部２１Ｂを透過可能な波長と透過部２２Ｂ透過可能な波長との間で切り替える。つまり、操作ボタンエリアＡ２に表示される操作ボタンが図１Ａのものとなるか、図１Ｂのものとなるかは、車両に関する情報に応じて決められる。
【００２８】
次に、表示制御装置３の取得部３０及び制御部３１のハードウェア構成例について、図５Ａ及び図５Ｂを用いて説明する。
取得部３０及び制御部３１の各部の機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ又はＤＳＰ（Ｄｉｇｉｔａｌ  Ｓｉｇｎａｌ  Ｐｒｏｃｅｓｓｏｒ）とも呼ばれる。
【００２９】
図５Ａは、取得部３０及び制御部３１の各部の機能を、専用のハードウェアである処理回路１０１で実現した場合のハードウェア構成例を示す図である。処理回路１０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、若しくはＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。取得部３０及び制御部３１の各部の機能を別個の処理回路１０１を組み合わせて実現してもよいし、取得部３０及び制御部３１の各部の機能を１つの処理回路１０１で実現してもよい。
【００３０】
図５Ｂは、取得部３０及び制御部３１の各部の機能を、メモリ１０２に格納されるプログラムを実行するＣＰＵ１０３で実現した場合のハードウェア構成例を示す図である。この場合、取得部３０及び制御部３１の各部の機能は、ソフトウェア、ファームウェア、又はソフトウェアとファームウェアとの組合せにより実現される。ソフトウェア及びファームウェアはプログラムとして記述され、メモリ１０２に格納される。ＣＰＵ１０３は、メモリ１０２に格納されたプログラムを読み出して実行することにより、取得部３０及び制御部３１の各部の機能を実現する。すなわち、表示制御装置３は、後述する図６のフローチャートで示すステップＳＴ１〜ステップＳＴ４が結果的に実行されることになるプログラム等を格納するためのメモリ１０２を有する。また、これらのプログラムは、取得部３０及び制御部３１の各部の手順又は方法をコンピュータに実行させるものであるとも言える。ここで、メモリ１０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、若しくはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性若しくは揮発性の半導体メモリ、又は、磁気ディスク、フレキシブルディスク、光ディスク、コンパクトディスク、ミニディスク、若しくはＤＶＤ（Ｄｉｇｉｔａｌ  Ｖｅｒｓａｔｉｌｅ  Ｄｉｓｃ）等のディスク状の記録媒体が該当する。
【００３１】
なお、取得部３０及び制御部３１の各部の機能について、一部を専用のハードウェアで実現し、一部をソフトウェア又はファームウェアで実現するようにしてもよい。例えば、取得部３０については専用のハードウェアとしての処理回路でその機能を実現し、制御部３１については処理回路がメモリに格納されたプログラムを読み出して実行することによってその機能を実現することが可能である。
【００３２】
このように、処理回路は、ハードウェア、ソフトウェア、ファームウェア又はこれらの組合せによって、上記の取得部３０及び制御部３１の各部の機能を実現することができる。
【００３３】
次に、上記のように構成された表示制御装置３による処理の一例について、図６に示すフローチャートを用いて説明する。図６に示す処理は、車両のエンジンがＯＮになった後、繰り返し行われるものである。
取得部３０は、車両に関する情報を取得する（ステップＳＴ１）。ここでは、車両に関する情報が、車両情報である場合を例に説明する。車両情報は、車両の走行状態についての情報であり、車速又はパーキングブレーキの状態等を示している。取得部３０は、取得した車両情報を制御部３１へ出力する。
【００３４】
続いて制御部３１は、車両情報を用いて車両走行中であるかを判定する（ステップＳＴ２）。
車両走行中である場合（ステップＳＴ２；ＹＥＳ）、制御部３１は、光源部２３が発する光の波長を第１ボタン部材２１の透過部２１Ｂを透過可能な波長とする（ステップＳＴ３）。つまり、ステップＳＴ３により、光源部２３からは青色の光が出て、操作ボタンエリアＡ２に表示される操作ボタンは、図１Ｂのように「ＴＲＡＣＫ  ＵＰ／ＴＲＡＣＫ  ＤＯＷＮ」等の第２ボタン部材２２が示すオーディオ系の機能のものとなる。
【００３５】
一方、停車中である場合（ステップＳＴ２；ＮＯ）、制御部３１は、光源部２３が発する光の波長を第２ボタン部材２２の透過部２２Ｂを透過可能な波長とする（ステップＳＴ４）。つまり、ステップＳＴ４により、光源部２３からは赤色の光が出て、操作ボタンエリアＡ２に表示される操作ボタンは、図１Ａのように「ＨＯＭＥ」等の第１ボタン部材２１が示すナビゲーション系の機能のものとなる。
【００３６】
このように、表示制御装置３は、車両に関する情報を用いて、操作ボタンエリアＡ２に表示される操作ボタンを、第１ボタン部材２１によるものと第２ボタン部材２２によるものとの間で切り替えることができる。したがって、操作ボタンエリアＡ２に表示される操作ボタンにより実行を指示できる機能を増やすことができる。つまり、仮に操作ボタンの切り替えができない場合、ユーザは、操作ボタンを用いて合計４つの機能までしか実行を指示できないが、上記で説明した例では、合計８つの機能の実行を指示できる。またその際、画像表示エリアＡ１の面積は何ら影響を受けることもない。
【００３７】
また、画像表示エリアＡ１に表示される擬似ボタンと異なり、操作ボタンエリアＡ２に表示される操作ボタンは、常に決められた位置に表示されるので、操作者にとってその位置は既知である。また、擬似ボタンの周囲には他の情報が画像として表示されることが多いが、操作ボタンは自身の周囲に他の情報が無いので、ユーザはボタンの位置を認識しやすい。このように、擬似ボタンに比べ操作ボタンは操作性が良い。上記のように操作ボタンを用いて実行を指示できる機能が増えると、擬似ボタンではなく操作ボタンの使用が増えるので、ユーザにとっては表示装置１の操作性が向上する。
【００３８】
図１Ａのようにナビゲーション用の第１ボタン部材２１による操作ボタンが操作ボタンエリアＡ２に表示されている場合、制御部３１は、第１ボタン部材２１が示す機能以外の機能を示す擬似ボタンを、画像表示エリアＡ１に表示させるとよい。制御部３１は、例えば、ナビゲーション系の機能の中でも第１ボタン部材２１にはない機能を示す擬似ボタンを表示させる。そして、制御部３１は、オーディオ系の機能を示す擬似ボタンについては画像表示エリアＡ１に表示させないか、または表示させる個数を絞る。このようにして、画像表示エリアＡ１に表示される擬似ボタンの数を減らすことができる。
図１Ｂのようにオーディオ用の第２ボタン部材２２による操作ボタンが操作ボタンエリアＡ２に表示されている場合も同様である。制御部３１は、オーディオ系の機能の中でも第２ボタン部材２２にはない機能を示す擬似ボタンを表示させる。そして、制御部３１は、ナビゲーション系の機能を示す擬似ボタンについては画像表示エリアＡ１に表示させないか、または表示させる個数を絞る。
【００３９】
また、上記では、車両に関する情報として、車両情報を用いる場合を示した。しかしながら、車両に関する情報は、提供中のコンテンツについての情報であるコンテンツ情報であってもよい。
例えば、コンテンツ情報がＤＶＤ（Ｄｉｇｉｔａｌ Ｖｅｒｓａｔｉｌｅ Ｄｉｓｃ）の再生中を示している場合、制御部３１は、操作ボタンエリアＡ２にオーディオ系の機能を示す操作ボタンが表示されるように制御する。図示例では、図１Ｂの状態となる。
【００４０】
また、上記では、第１ボタン部材２１と第２ボタン部材２２とを、ナビゲーション用のボタン部材とオーディオ用のボタン部材とに分けて説明した。しかしながら、例えば、第１ボタン部材２１を運転者用のボタン部材、第２ボタン部材２２を助手席の乗員用のボタン部材として分けてもよい。第１ボタン部材２１には、一般的に運転者が多く使用すると思われる機能を示す透過部２１Ｂが設けられる。また、第２ボタン部材２２には、一般的に助手席の乗員が多く使用すると思われる機能を示す透過部２２Ｂが設けられる。
この場合、取得部３０は、車両に関する情報として、操作者についての情報である操作者情報を取得する。操作者情報には、例えば、不図示のカメラ等を用いて検出された、運転者が表示装置１を操作しようとしているか、又は、助手席の乗員が表示装置１を操作しようとしているかという検出結果が示されている。
【００４１】
制御部３１は、操作者情報が運転者が操作しようとしていることを示している場合、光源部２３が発する光の波長を助手席の乗員用のボタン部材である第２ボタン部材２２が有する透過部２２Ｂを透過可能な波長にする。また、制御部３１は、光源部２３が発する光を光源部２３のすぐ手前にある第２ボタン部材２２における運転席側の部分に背後から当てさせる。これにより、運転者にとっての利便性が高まる。なおこの場合、操作ボタンエリアＡ２は、図１Ａに示した表示部２における縦方向に伸びたエリアではなく、横方向に伸びたエリアとする。
【００４２】
同様に、制御部３１は、操作者情報が助手席の乗員が操作しようとしていることを示している場合、光源部２３が発する光の波長を運転者用のボタン部材である第１ボタン部材２１が有する透過部２１Ｂを透過可能な波長にする。また、制御部３１は、光源部２３が発する光を光源部２３のすぐ手前にある第２ボタン部材２２における助手席側の部分に背後から当てさせる。これにより、助手席の乗員にとっての利便性が高まる。なおこの場合も、操作ボタンエリアＡ２は、図１Ａに示した表示部２における縦方向に伸びたエリアではなく、横方向に伸びたエリアとする。
運転者も助手席の乗員も表示装置１を操作しようとしていない状態では、制御部３１は、デフォルト設定として、光源部２３が発する光の波長を透過部２１Ｂと透過部２２Ｂのどちらか一方を透過可能な波長としている。
【００４３】
なお、光源部２３のすぐ手前にある第２ボタン部材２２と、第２ボタン部材２２よりも手前にある第１ボタン部材２１のどちらを運転者用のボタン部材とし、助手席の乗員用のボタン部材とするかは、ユーザによる変更が可能であってよい。また、運転者が第１ボタン部材２１と第２ボタン部材２２のどちらの操作ボタンをより多く使っているかを制御部３１が学習し、第１ボタン部材２１と第２ボタン部材２２のどちらを運転者用のボタン部材とし、助手席の乗員用のボタン部材とするかを、制御部３１が自動で変更するようにしてもよい。
【００４４】
また、上記では、透過部２１Ｂは光源部２３からの青色の光のみを透過可能、透過部２２Ｂは光源部２３からの赤色の光のみを透過可能であり、制御部３１は、光源部２３の発光色を青色と赤色とで切り替えるとした。しかしながら他の色の組合せが用いられてもよい。例えば透過部２１Ｂが光源部２３からの青色の光のみを透過可能、透過部２２Ｂが光源部２３からの橙色の光のみを透過可能であり、制御部３１は、光源部２３の発光色を青色と橙色とで切り替える。同様に、青緑色と橙色、緑色と赤色等の組合せでもよい。要は、光の波長が互いに離れている色が組み合わせられればよい。
【００４５】
また、上記では、操作ボタンが図１Ａと図１Ｂに示す２つの表示パターンとの間で切替わるとしたが、操作ボタンが３つ以上の表示パターンの間で切替わってもよい。つまり、第１ボタン部材２１及び第２ボタン部材２２と同様に本体部と透過部を有する第３ボタン部材が設けられ、操作ボタンが３つの表示パターンの間で切替わるようにしてよい。
【００４６】
また、上記では、第１ボタン部材２１及び第２ボタン部材２２において、透過部２１Ｂ及び透過部２２Ｂが「ＨＯＭＥ」及び「ＴＲＡＣＫ  ＵＰ／ＴＲＡＣＫ  ＤＯＷＮ」等の文字部分であるとし、操作ボタンとしてこれらの文字が表示されるとした。しかしながら、操作ボタンは文字に限らず、図形又は記号等で表わされてもよい。
また、第１ボタン部材２１において、文字部分を上記のように透過部２１Ｂとするのに代えて、文字部分の周囲を透過部２１Ｂとしてもよい。つまり、図２Ａにおいて、「ＨＯＭＥ」という文字部分以外に、特定の波長の光のみを透過するインクが印刷される。この場合、第２ボタン部材２２についても同様に、「ＴＲＡＣＫ  ＵＰ／ＴＲＡＣＫ  ＤＯＷＮ」という文字部分の周囲を特定の波長の光のみを透過する透過部２２Ｂとする。
【００４７】
また、上記した全ての処理は、ユーザによる有効無効の設定が可能であってよい。
【００４８】
以上のように、実施の形態１によれば、第１ボタン部材２１の透過部２１Ｂは特定の波長の光のみを透過可能であり、第２ボタン部材２２の透過部２２Ｂは、透過部２１Ｂとは異なる特定の波長の光のみを透過可能である。制御部３１により、光源部２３が発する光の波長を、透過部２１Ｂを透過可能な波長と透過部２２Ｂを透過可能な波長との間で切り替えることで、表示される操作ボタンを切り替えることができる。
【００４９】
なお、本願発明はその発明の範囲内において、実施の形態の任意の構成要素の変形、もしくは実施の形態の任意の構成要素の省略が可能である。
【産業上の利用可能性】
【００５０】
以上のように、この発明に係る表示制御装置は、光源部とボタン部材とを用いて表示されるボタンを切り替えることができるので、例えば、車載の表示装置に組み込んで用いるのに適している。
【符号の説明】
【００５１】
１  表示装置、２  表示部、３  表示制御装置、２０  ディスプレイ、２１  第１ボタン部材、２１Ａ  本体部、２１Ｂ  透過部、２２  第２ボタン部材、２２Ａ  本体部、２２Ｂ  透過部、２３  光源部、２４  タッチパネル、３０  取得部、３１  制御部、１０１  処理回路、１０２  メモリ、１０３  ＣＰＵ。
【図１】
2019215917.tif 000003
【図２】
2019215917.tif 000004
【図３】
2019215917.tif 000005
【図４】
2019215917.tif 000006
【図５】
2019215917.tif 000007
【図６】
2019215917.tif 000008
【国際調査報告】
2019215917.tif 000009
2019215917.tif 000010